(57)【要約】【課題】部品点数の増大を伴うことなく、天井クロスにしわや切れが発生するのを抑制することができる建物の天井構造を提供する。【解決手段】建物は、複数の建物ユニット２０が組み合わされて構成されている。隣り合う建物ユニット２０の隣接する各天井大梁２２にはそれぞれその下面に野縁３３が固定されている。野縁３３は天井大梁２２に沿って設けられ、天井大梁２２よりも幅広に形成されている。野縁３３の下面側には、隣り合う上側天井面材２７と上側天井繋ぎ面材３７とがそれぞれ固定されている。また、野縁３３の下面側には、隣り合う下側天井面材２８と下側天井繋ぎ面材３８とが互いの境界部を隣り合う上側天井面材２７及び上側天井繋ぎ面材３７の境界部に対し天井並び方向にずらした状態で固定されている。【選択図】図７
2015117502.tif 000002
【特許請求の範囲】
【請求項１】
横並びに設けられた複数の天井梁と、
前記各天井梁の下面にそれぞれ固定され、当該天井梁の長手方向に沿って延びる複数の野縁と、
それら各野縁の下方において当該各野縁の並ぶ方向に並設され、当該野縁に対してそれぞれ固定された複数の第１天井面材と、
前記第１天井面材の下面側において前記各第１天井面材の並ぶ天井並び方向に並設され、前記野縁に対しそれぞれ前記第１天井面材を介して固定された複数の第２天井面材と、
前記各第２天井面材の下面に跨がって設けられた天井クロスと、
を備える建物の天井構造であって、
前記各野縁のうち少なくともいずれかの野縁は、当該野縁が固定された前記天井梁よりも幅の広い幅広野縁となっており、
前記幅広野縁の下面側には、隣り合う前記第１天井面材がそれぞれ固定されているとともに、隣り合う前記第２天井面材がそれぞれ互いの境界部を前記隣り合う第１天井面材の境界部に対し前記天井並び方向にずらした状態で固定されていることを特徴とする建物の天井構造。
【請求項２】
床大梁、天井大梁及び柱を有してなる複数の建物ユニットが互いに組み合わされて構築されるユニット式の建物に適用され、
隣り合う建物ユニットにおいて隣接する各天井大梁は横並びに設けられた前記複数の天井梁であり、それら各天井大梁の下面にはそれぞれ当該天井大梁よりも幅広とされた前記幅広野縁が固定されており、
それら各幅広野縁の下方では、当該各幅広野縁の並ぶ方向を前記天井並び方向として前記複数の第１天井面材が並設されているとともに、前記複数の第２天井面材が並設されており、
前記複数の第１天井面材には、前記隣り合う各建物ユニット内にそれぞれ設けられた第１ユニット天井面材と、前記隣り合う建物ユニットの各第１ユニット天井面材の間に設けられた第１天井繋ぎ面材とが含まれており、
前記複数の第２天井面材には、前記隣り合う各建物ユニット内にそれぞれ設けられた第２ユニット天井面材と、前記隣り合う建物ユニットの各第２ユニット天井面材の間に設けられた第２天井繋ぎ面材とが含まれており、
前記幅広野縁の下面側には、隣り合う前記第１ユニット天井面材と前記第１天井繋ぎ面材とがそれぞれ固定されているとともに、隣り合う前記第２ユニット天井面材と前記第２天井繋ぎ面材とがそれぞれ互いの境界部を前記隣り合う第１ユニット天井面材及び前記第１天井繋ぎ面材の境界部に対し前記天井並び方向にずらした状態で固定されていることを特徴とする請求項１に記載の建物の天井構造。
【請求項３】
前記隣り合う建物ユニットは互いの桁面同士を向き合わせて配置されており、
それら隣り合う建物ユニットにおいて互いに隣接する長辺側の前記各天井大梁の下面にそれぞれ前記幅広野縁が固定されており、
それら各幅広野縁の下方では、当該各幅広野縁の並ぶ方向を前記天井並び方向として前記第１ユニット天井面材と前記第１天井繋ぎ面材とが並べて設けられているとともに、前記第２ユニット天井面材と前記第２天井繋ぎ面材とが並べて設けられており、
前記幅広野縁の下面側には、隣り合う前記第１ユニット天井面材と前記第１天井繋ぎ面材とがそれぞれ固定されているとともに、隣り合う前記第２ユニット天井面材と前記第２天井繋ぎ面材とがそれぞれ互いの境界部を前記隣り合う第１ユニット天井面材及び前記第１天井繋ぎ面材の境界部に対し前記天井並び方向にずらした状態で固定されていることを特徴とする請求項２に記載の建物の天井構造。
【請求項４】
前記幅広野縁は、当該幅広野縁が固定された前記天井大梁に対して当該天井大梁を有する前記建物ユニットの内側には延出している一方、当該建物ユニットの外側には延出していないことを特徴とする請求項２又は３に記載の建物の天井構造。
【請求項５】
前記第２天井繋ぎ面材は、前記天井並び方向の長さが前記第１天井繋ぎ面材よりも大きくなっており、前記天井並び方向における両側がそれぞれ前記第１天井繋ぎ面材からはみ出した状態で前記隣り合う建物ユニットの前記各幅広野縁に固定されていることを特徴とする請求項２乃至４のいずれか一項に記載の建物の天井構造。
【請求項６】
前記幅広野縁は、幅方向の一方の端部を前記天井梁の幅方向の一方の端部と同じ位置に位置合わせした状態で当該天井梁に固定されていることを特徴とする請求項１乃至５のいずれか一項に記載の建物の天井構造。
【請求項７】
前記幅広野縁は、前記天井梁の真下に配置され当該天井梁に固定された梁下部と、当該天井梁から幅方向に延出した延出部とを有しており、
前記隣り合う第１天井面材はそれぞれ前記梁下部の下面側に固定され、
前記隣り合う第２天井面材はそれぞれ前記延出部の下面側に固定されていることを特徴とする請求項６に記載の建物の天井構造。
【請求項８】
前記幅広野縁は、当該幅広野縁が固定された前記天井梁よりも幅方向に延出した延出部を有しており、
前記延出部は、前記天井梁からの延出長さが前記幅広野縁の幅の半分以下に設定されていることを特徴とする請求項１乃至７のいずれか一項に記載の建物の天井構造。
【発明の詳細な説明】
【技術分野】
【０００１】
本発明は、建物の天井構造に関する。
【背景技術】
【０００２】
ユニット式建物では、建物ユニットの天井構造として、建物ユニットの各天井大梁及び各天井小梁の下面にそれぞれ天井梁に沿って野縁を取り付け、それら野縁の下面に天井面材をビス等で固定する構造がよく用いられる。野縁は、例えば長尺状の木材により形成され、その野縁が取り付けられる天井梁と同じ幅で形成される。
【０００３】
天井面材としては、例えば石膏ボードが用いられる。天井面材は、上下２枚重ねの状態で設けられることがあり（例えば特許文献１参照）、その場合、上側の天井面材（以下、上側天井面材という）と下側の天井面材（以下、下側天井面材という）とがそれぞれ同じ方向、例えば建物ユニットの長手方向に沿って並設される。そして、各上側天井面材と各下側天井面材とは、例えば隣り合う上側天井面材（又は下側天井面材）の境界部に沿って延びる野縁の下面側にビス等で固定される。また、各下側天井面材の下面には、それら各下面に跨がって天井クロスが接着剤により貼り付けられる。なお、上側天井面材と下側天井面材とは、予めユニット製造工場において建物ユニットに組み付けられるものとなっている。
【０００４】
かかる天井構造においては、上側天井面材と下側天井面材とが天井面材の並び方向（天井並び方向）に互いにずらして配置される場合がある。この場合、隣り合う上側天井面材と隣り合う下側天井面材とは、各々の境界部にてそれぞれ異なる野縁に固定されることになる。かかる構成では、隣り合う下側天井面材がそれぞれ一の上側天井面材の下面側に配置されるため、それら下側天井面材の間で上下方向へのずれを生じにくくすることができる。そのため、各下側天井面材の境界部にてかかるずれに伴う天井クロスの切れやしわの発生を抑制することができる。
【０００５】
隣り合う建物ユニットの境界部では、それら隣り合う建物ユニットの各上側天井面材の間に上側天井繋ぎ材が設けられ、隣り合う建物ユニットの各下側天井面材の間に下側天井繋ぎ材が設けられている。これら上側天井繋ぎ材と下側天井繋ぎ材とはそれぞれ、施工現場において各建物ユニットが据え付けられた後、各上側天井面材間及び各下側天井面材間に組み付けられるものとなっている。上側天井繋ぎ材と下側天井繋ぎ材とはそれぞれ、隣り合う建物ユニットの隣接する各天井大梁の下面に固定された野縁に跨がって配設され、それら各野縁の下面側にビス等で固定される。したがって、天井大梁下の野縁の下面側には、上側天井繋ぎ材と上側天井面材とがそれぞれ隣り合った状態で固定されているとともに、下側天井繋ぎ材と下側天井面材とがそれぞれ隣り合った状態で固定されている。
【先行技術文献】
【特許文献】
【０００６】
【特許文献１】特開２０１０−１２６９４５号公報
【発明の概要】
【発明が解決しようとする課題】
【０００７】
ところで、天井大梁下の野縁に隣り合う上側天井繋ぎ材及び上側天井面材と、隣り合う下側天井繋ぎ材及び下側天井面材とがそれぞれ固定される上述の構成では、隣り合う上側天井面材及び上側天井繋ぎ材の境界部と、隣り合う下側天井面材及び下側天井繋ぎ材の境界部とを天井並び方向にずらして配置することが困難となる。そのため、それら各境界部を天井並び方向にて同じ位置に合わせた状態で、隣り合う上側天井面材及び上側天井繋ぎ材と、隣り合う下側天井面材及び下側天井繋ぎ材とが野縁に固定されることが考えられる。その場合、隣り合う下側天井面材と下側天井繋ぎ材との間（さらには隣り合う上側天井面材と上側天井繋ぎ材との間）で上下方向へのずれが生じ、天井クロスにしわや切れが発生するおそれがある。
【０００８】
そこで、この対策として、天井大梁下の野縁に対してユニット内側に横並びとなる位置に別途新たな野縁を設けることが考えられる。この野縁は、例えば当該野縁と直交する向きに延び互いに対向する二つの野縁間に架け渡されて設けられる。この場合、隣り合う上側天井面材と上側天井繋ぎ材とをそれぞれ天井大梁下の野縁に固定し、隣り合う下側天井面材と下側天井繋ぎ材とをそれぞれ新たに設けた野縁に固定することで、隣り合う上側天井面材及び上側天井繋ぎ材の境界部と、隣り合う下側天井面材及び下側天井繋ぎ材の境界部とを天井並び方向にずらすことができる。そのため、天井クロスにしわや切れが発生するのを抑制することができる。
【０００９】
しかしながら、新たに野縁を設けると、その分部品点数が増加するため、製造工数の増大や部材コストの増大を招くおそれがある。特に、互いの桁面同士を向き合わせて隣り合う建物ユニットの境界部に新たな野縁を設ける場合には、隣り合う天井小梁下の野縁間ごとに新たな野縁を設ける必要があるため、部品点数の著しい増大を招くおそれがある。
【００１０】
本発明は、上記事情に鑑みてなされたものであり、部品点数の増大を伴うことなく、天井クロスにしわや切れが発生するのを抑制することができる建物の天井構造を提供することを主たる目的とするものである。
【課題を解決するための手段】
【００１１】
上記課題を解決すべく、第１の発明の建物の天井構造は、横並びに設けられた複数の天井梁と、前記各天井梁の下面にそれぞれ固定され、当該天井梁の長手方向に沿って延びる複数の野縁と、それら各野縁の下方において当該各野縁の並ぶ方向に並設され、当該野縁に対してそれぞれ固定された複数の第１天井面材と、前記第１天井面材の下面側において前記各第１天井面材の並ぶ天井並び方向に並設され、前記野縁に対しそれぞれ前記第１天井面材を介して固定された複数の第２天井面材と、前記各第２天井面材の下面に跨がって設けられた天井クロスと、を備える建物の天井構造であって、前記各野縁のうち少なくともいずれかの野縁は、当該野縁が固定された前記天井梁よりも幅の広い幅広野縁となっており、前記幅広野縁の下面側には、隣り合う前記第１天井面材がそれぞれ固定されているとともに、隣り合う前記第２天井面材がそれぞれ互いの境界部を前記隣り合う第１天井面材の境界部に対し前記天井並び方向にずらした状態で固定されていることを特徴とする。
【００１２】
本発明によれば、天井梁よりも幅広とされた幅広野縁の下面側に、隣り合う第１天井面材と隣り合う第２天井面材とが、互いの境界部同士を天井並び方向にずらした状態で固定されている。この場合、隣り合う第２天井面材がそれぞれ一の第１天井面材の下面側に配置されるため、それら各第２天井面材の間で上下方向へのずれを生じにくくすることができる。そのため、隣り合う第２天井面材の境界部で天井クロスに切れやしわが発生するのを抑制することができる。
【００１３】
また、隣り合う第１天井面材と隣り合う第２天井面材とはそれぞれ共通の野縁（幅広野縁）に固定されているため、隣り合う第１天井面材と隣り合う第２天井面材とを別々の野縁に固定する場合と異なり、別途新たに野縁を設ける必要がない。これにより、部品点数の増大を伴うことなく、天井クロスにしわや切れが発生するのを抑制することができる。
【００１４】
なお、第１天井面材と第２天井面材とは、例えばその下方からビスや釘といった固定具が打ち付けられることにより野縁に固定される。この場合、第１天井面材を固定する固定具（第１固定具）は、第１天井面材を貫通した状態で野縁に打ち付けられる。また、第２天井面材を固定する固定具（第２固定具）は、第１天井面材及び第２天井面材の双方を貫通した状態で野縁に打ち付けられる。
【００１５】
第２の発明の建物の天井構造は、第１の発明において、床大梁、天井大梁及び柱を有してなる複数の建物ユニットが互いに組み合わされて構築されるユニット式の建物に適用され、隣り合う建物ユニットにおいて隣接する各天井大梁は横並びに設けられた前記複数の天井梁であり、それら各天井大梁の下面にはそれぞれ当該天井大梁よりも幅広とされた前記幅広野縁が固定されており、それら各幅広野縁の下方では、当該各幅広野縁の並ぶ方向を前記天井並び方向として前記複数の第１天井面材が並設されているとともに、前記複数の第２天井面材が並設されており、前記複数の第１天井面材には、前記隣り合う各建物ユニット内にそれぞれ設けられた第１ユニット天井面材と、前記隣り合う建物ユニットの各第１ユニット天井面材の間に設けられた第１天井繋ぎ面材とが含まれており、前記複数の第２天井面材には、前記隣り合う各建物ユニット内にそれぞれ設けられた第２ユニット天井面材と、前記隣り合う建物ユニットの各第２ユニット天井面材の間に設けられた第２天井繋ぎ面材とが含まれており、前記幅広野縁の下面側には、隣り合う前記第１ユニット天井面材と前記第１天井繋ぎ面材とがそれぞれ固定されているとともに、隣り合う前記第２ユニット天井面材と前記第２天井繋ぎ面材とがそれぞれ互いの境界部を前記隣り合う第１ユニット天井面材及び前記第１天井繋ぎ面材の境界部に対し前記天井並び方向にずらした状態で固定されていることを特徴とする。
【００１６】
ユニット式建物では、隣り合う建物ユニットの第１ユニット天井面材の間に第１天井繋ぎ面材が設けられ、隣り合う建物ユニットの第２ユニット天井面材の間に第２天井繋ぎ面材が設けられる。この場合、第１天井繋ぎ面材及び第２天井繋ぎ面材はそれぞれ隣り合う建物ユニットの隣接する各天井大梁の下面に固定された野縁の下面側に跨がって固定される。かかる構成では、天井大梁下の野縁に対して隣り合う第１天井繋ぎ面材及び第１ユニット天井面材と、隣り合う第２天井繋ぎ面材及び第２ユニット天井面材とがそれぞれ固定されるため、隣り合う第１天井繋ぎ面材及び第１ユニット天井面材の境界部と、隣り合う第２天井繋ぎ面材及び第２ユニット天井面材の境界部とを天井並び方向にずらして配置することが困難になると考えられる。その場合、隣り合う第２天井繋ぎ面材及び第２ユニット天井面材間で上下方向へのずれが生じて、天井クロスにしわや切れが発生するおそれがある。
【００１７】
そこで本発明では、ユニット境界部において、天井大梁下の野縁を幅広野縁とし、その幅広野縁に対して隣り合う第１天井繋ぎ面材及び第１ユニット天井面材と、隣り合う第２天井繋ぎ面材及び第２ユニット天井面材とをそれぞれ、互いの境界部同士を天井並び方向にずらした状態で固定するようにしている。これにより、部品点数の増大を伴うことなく、ユニット境界部にて天井クロスにしわや切れが発生するのを抑制することができる。
【００１８】
第３の発明の建物の天井構造は、第２の発明において、前記隣り合う建物ユニットは互いの桁面同士を向き合わせて配置されており、それら隣り合う建物ユニットにおいて互いに隣接する長辺側の前記各天井大梁の下面にそれぞれ前記幅広野縁が固定されており、それら各幅広野縁の下方では、当該各幅広野縁の並ぶ方向を前記天井並び方向として前記第１ユニット天井面材と前記第１天井繋ぎ面材とが並べて設けられているとともに、前記第２ユニット天井面材と前記第２天井繋ぎ面材とが並べて設けられており、前記幅広野縁の下面側には、隣り合う前記第１ユニット天井面材と前記第１天井繋ぎ面材とがそれぞれ固定されているとともに、隣り合う前記第２ユニット天井面材と前記第２天井繋ぎ面材とがそれぞれ互いの境界部を前記隣り合う第１ユニット天井面材及び前記第１天井繋ぎ面材の境界部に対し前記天井並び方向にずらした状態で固定されていることを特徴とする。
【００１９】
本発明によれば、互いの桁面同士を向き合わせて隣り合う建物ユニットの境界部（以下、桁面側のユニット境界部ともいう）において第２の発明の効果を得ることができる。桁面側のユニット境界部では、天井大梁下の野縁に対してユニット内側に横並びとなる位置に別途新たな野縁を設ける場合、その新たな野縁を隣り合う天井小梁下の野縁間ごとにそれぞれ設ける必要があるため、部品点数の著しい増大を招くおそれがある。この点本発明によれば、部品点数の増大を伴うことなく天井クロスのしわや切れの発生を抑制することができるため、第２の発明の天井構造を桁面側のユニット境界部に適用することの意義は大きいといえる。
【００２０】
第４の発明の建物の天井構造は、第２又は第３の発明において、前記幅広野縁は、当該幅広野縁が固定された前記天井大梁に対して当該天井大梁を有する前記建物ユニットの内側には延出している一方、当該建物ユニットの外側には延出していないことを特徴とする。
【００２１】
本発明によれば、幅広野縁が天井大梁よりも建物ユニットの外側には延出しないように当該大梁に固定されているため、幅広野縁の一部が天井大梁から延出する構成にあってその延出部分が建物ユニットの搬送の支障になるのを回避することができる。
【００２２】
第５の発明の建物の天井構造は、第２乃至第４のいずれかの発明において、前記第２天井繋ぎ面材は、前記天井並び方向の長さが前記第１天井繋ぎ面材よりも大きくなっており、前記天井並び方向における両側がそれぞれ前記第１天井繋ぎ面材からはみ出した状態で前記隣り合う建物ユニットの前記各幅広野縁に固定されていることを特徴とする。
【００２３】
例えば、第１天井繋ぎ面材についてその天井並び方向の長さを第２天井繋ぎ面材よりも大きくした場合、第１天井繋ぎ面材の天井並び方向の両側（又は片側）が第２天井繋ぎ面材からはみ出して第２天井面材の上面側に配置されることになる。その場合、施工時において、隣り合う建物ユニットの第１ユニット天井面材の間に第１天井繋ぎ面材を組み付ける際、第２天井面材を一旦取り外してから第１天井繋ぎ面材を組み付けるといった手間が発生するおそれがある。
【００２４】
その点本発明では、第２天井繋ぎ面材について、その天井並び方向の長さを第１天井繋ぎ面材よりも大きくし、その第２天井繋ぎ面材の天井並び方向の両側をそれぞれ第１天井繋ぎ面材からはみ出した状態で隣り合う建物ユニットの幅広野縁に固定している。この場合、第１天井繋ぎ面材が第２天井面材の上面側に配置されていないため、施工時において隣り合う建物ユニットの第１ユニット天井面材間に第１天井繋ぎ面材を組み付ける際、第２天井面材を一旦取り外すといった手間が発生することがない。このため、施工工数の増大を回避しながら、上記第２の発明の効果を得ることができる。
【００２５】
第６の発明の建物の天井構造は、第１乃至第５のいずれかの発明において、前記幅広野縁は、幅方向の一方の端部を前記天井梁の幅方向の一方の端部と同じ位置に位置合わせした状態で当該天井梁に固定されていることを特徴とする。
【００２６】
本発明によれば、天井梁に対して幅広野縁を固定する際、幅広野縁の幅方向の一端部を天井梁の幅方向の一端部と位置合わせした状態で固定することができる。これにより、天井梁よりも幅広の野縁を当該天井梁に固定する構成にあって、その固定作業をし易くすることができる。
【００２７】
第７の発明の建物の天井構造は、第６の発明において、前記幅広野縁は、前記天井梁の真下に配置され当該天井梁に固定された梁下部と、当該天井梁から幅方向に延出した延出部とを有しており、前記隣り合う第１天井面材はそれぞれ前記梁下部の下面側に固定され、前記隣り合う第２天井面材はそれぞれ前記延出部の下面側に固定されていることを特徴とする。
【００２８】
上記第６の発明の構成では、幅広野縁において一部（梁下部）が天井梁の真下に配置され、残りの部分（延出部）が天井梁から側方に延出して配置される。本発明では、かかる構成において、隣り合う第１天井面材をそれぞれ梁下部に固定し、隣り合う第２天井面材をそれぞれ延出部に固定するようにしている。この場合、隣り合う第１天井面材については撓みが生じにくい梁下部に固定されているため、幅広野縁（梁下部）に対して安定した状態で支持させることが可能となる。また、その安定支持された第１天井面材により延出部の下方への撓みを規制することができるため、その延出部に固定される第２天井面材についても安定した状態で支持することが可能となる。
【００２９】
第８の発明の建物の天井構造は、第１乃至第７のいずれかの発明において、前記幅広野縁は、当該幅広野縁が固定された前記天井梁よりも幅方向に延出した延出部を有しており、前記延出部は、前記天井梁からの延出長さが前記幅広野縁の幅の半分以下に設定されていることを特徴とする。
【００３０】
本発明によれば、延出部の延出長さが幅広野縁の幅の半分以下に設定されているため、延出部に固定される天井面材の重みによって延出部が下方へ撓んでしまうのを抑制することができる。これにより、天井面材を安定した状態で支持することが可能となる。
【図面の簡単な説明】
【００３１】
【図１】ユニット式建物の概要を示す斜視図。
【図２】建物ユニットの斜視図。
【図３】一階部分に並べられた建物ユニットを示す平面図。
【図４】建物ユニットの天井部の構成を示す縦断面図。
【図５】天井部における野縁の配置状態を示す平面図。
【図６】天井部における天井面材の配置状態を示す平面図。
【図７】隣り合う建物ユニットの境界部における天井部の構成を示す縦断面図。
【図８】隣り合う建物ユニットの各柱が集合する柱集合部周辺を示す平面図。
【発明を実施するための形態】
【００３２】
以下に、本発明を具体化した一実施の形態について図面を参照しつつ説明する。なお、図１は、ユニット式建物の概要を示す斜視図である。
【００３３】
図１に示すように、建物１０は、基礎１１上に設けられた建物本体１２と、その上方に設けられた屋根部１３とを備える。建物本体１２は、下階部としての一階部分１４と、上階部としての二階部分１５とを有する二階建てであり、複数の建物ユニット２０が互いに連結されることにより構成されている。建物ユニット２０は製造工場においてあらかじめ製造され、その後施工現場にトラック等により運搬されるものとなっている。
【００３４】
図２には建物ユニット２０の斜視図を示す。図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００３５】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７，２８が支持され、床小梁２６によって床面材２９が支持されている。
【００３６】
次に、一階部分１４における天井部の構成について図３乃至図６に基づいて説明する。図３は、一階部分１４に並べられた建物ユニット２０を示す平面図である。図４は、建物ユニット２０の天井部の構成を示す縦断面図である。図５は、天井部における野縁の配置状態を示す平面図である。図６は、天井部における天井面材の配置状態を示す平面図である。なお、図４は図３のＡ−Ａ線断面図に相当する。
【００３７】
図３に示すように、一階部分１４では、複数（具体的には４つ）の建物ユニット２０がその長手方向（詳しくは平面視の長手方向）を同じ方向に向けて設置されている。具体的には、４つの建物ユニット２０が２列×２列に並べて設置されている。この場合、建物ユニット２０の長手方向に隣り合う建物ユニット２０同士が互いの妻面（短辺側の側面）を向き合わせて配置され、建物ユニット２０の短手方向（詳しくは平面視の短手方向）に隣り合う建物ユニット２０同士が互いの桁面（長辺側の側面）を向き合わせて配置されている。
【００３８】
図４及び図５に示すように、一階部分１４の建物ユニット２０の天井部では、各天井小梁２５の下面にそれぞれ野縁３１が固定されている。野縁３１は、天井小梁２５の長手方向に沿って配置され、天井小梁２５の下面にビス等で固定されている。各天井大梁２２の下面にはそれぞれ野縁３２，３３が固定されている。野縁３２，３３は、天井大梁２２の長手方向に沿って配置され、天井大梁２２の下面にビス等で固定されている。各野縁３１〜３３は、例えば長尺状のパーティクルボードからなる。
【００３９】
建物ユニット２０の天井部では、これら野縁３１〜３３の下面側に天井面材２７，２８が並べて設けられている。天井面材２７，２８は、石膏ボードにより構成されており、上下に２枚重ねされた状態で設けられている。これら各天井面材２７，２８はいずれも同じ厚みを有する矩形板状（長方形板状）に形成されている。なお、図６において（ａ）には、各天井面材２７，２８のうち上側の天井面材２７（以下、上側天井面材２７という）の配置状態が示されており、（ｂ）には下側の天井面材２８（以下、下側天井面材２８という）の配置状態が示されている。
【００４０】
図４及び図６（ａ）に示すように、上側天井面材２７は、建物ユニット２０の長手方向、換言すると各天井小梁２５の並ぶ方向（小梁並び方向）に沿って横並びに複数設けられている。各上側天井面材２７はそれぞれ、建物ユニット２０の長手方向に並ぶ複数の野縁３１〜３３の下面に跨がって設けられ、それら野縁３１〜３３に対してビス４１により固定されている。また、各上側天井面材２７はそれぞれ、相対する長辺側の各天井大梁２２の野縁３２，３３の下面に跨がって設けられており、それら各野縁３２，３３に対してビス４１により固定されている。これらのビス４１（第１固定具に相当）は、上側天井面材２７を貫通した状態で野縁３１〜３３に対して打ち付けられている。なお、上側天井面材２７が第１天井面材及び第１ユニット天井面材に相当する。
【００４１】
図４及び図６（ｂ）に示すように、下側天井面材２８は、建物ユニット２０の長手方向に沿って横並びに複数設けられている。つまり、下側天井面材２８は、上側天井面材２７と同じ並び方向で横並びに設けられている。各下側天井面材２８はそれぞれ、建物ユニット２０の長手方向に並ぶ複数の野縁３１〜３３の下面側に跨がって設けられ、それら野縁３１〜３３に対して上側天井面材２７を介してビス４２（第２固定具に相当）により固定されている。また、各下側天井面材２８はそれぞれ、長辺側の各天井大梁２２の野縁３２，３３の下面に跨がって設けられており、それら各野縁３２，３３に対して上側天井面材２７を介してビス４２により固定されている。これらのビス４２はいずれも、下側天井面材２８及び上側天井面材２７を貫通した状態で野縁３１〜３３に対して打ち付けられている。なお、下側天井面材２８が第２天井面材及び第２ユニット天井面材に相当する。
【００４２】
各下側天井面材２８はそれぞれ、隣り合う上側天井面材２７の下面に跨がって設けられている。これにより、隣り合う下側天井面材２８の境界部と隣り合う上側天井面材２７の境界部とは天井面材２７，２８の並ぶ方向に互いにずれた位置にある。より詳しくは、かかる並び方向において、隣り合う上側天井面材２７の各境界部はそれぞれ下側天井面材２８の略中央に位置している。
【００４３】
なお、上側天井面材２７及び下側天井面材２８は予め製造工場において建物ユニット２０に組み付けられるものとなっている。
【００４４】
下側天井面材２８の下面には天井クロス３４が設けられている。天井クロス３４は、塩化ビニル樹脂により形成された天井仕上げ材である。天井クロス３４は、各下側天井面材２８の下面に跨がって設けられ、それら各下側天井面材２８の下面に接着剤により貼り付けられている。
【００４５】
図４に示すその他の構成について説明すると、天井大梁２２の外側面には外壁パネル４５がボルト４８により固定されている。外壁パネル４５の屋内側には内壁パネル４６が設けられており、外壁パネル４５と内壁パネル４６との間にはグラスウールからなる壁内断熱材４７が設けられている。
【００４６】
次に、隣り合う建物ユニット２０の境界部における天井部の構成について図５及び図６に加え図７及び図８を参照しながら説明する。図７は、隣り合う建物ユニット２０の境界部における天井部の構成を示す縦断面図である。図８は、隣り合う建物ユニット２０の各柱２１が集合する柱集合部周辺を示す平面図である。なお、図７は、妻面同士を向き合わせて隣り合う建物ユニット２０の境界部を示しており、図３のＢ−Ｂ線断面図に相当する。
【００４７】
図７に示すように、妻面同士を向き合わせて隣り合う建物ユニット２０の境界部では、それら各建物ユニット２０の（短辺側の）天井大梁２２同士が横並びで隣接しており、それら各天井大梁２２が互いのウェブ２２ａを向き合わせた状態で配置されている。これら各天井大梁２２の下面には、上述したように、野縁３３が固定されている。これらの野縁３３は、その幅（短手方向の長さ）が天井大梁２２（下フランジ２２ｂ）の幅よりも大きく（広く）された幅広野縁となっている。
【００４８】
各野縁３３はそれぞれ、幅方向において一方の端部を天井大梁２２の一方の端部と同じ位置に位置合わせした状態で当該天井大梁２２（下フランジ２２ｂ）の下面に固定されている。具体的には、野縁３３は、幅方向において一方の端部を天井大梁２２のウェブ２２ａの外側面と同じ位置に位置合わせした状態で天井大梁２２に固定されている。この場合、野縁３３は、その天井大梁２２に対して当該天井大梁２２を有する建物ユニット２０の内側（以下、単にユニット内側ともいう）には延出している一方、当該建物ユニット２０の外側（以下、単にユニット外側ともいう）には延出していない。
【００４９】
野縁３３において天井大梁２２から延出した部分は延出部３３ａとなっている。延出部３３ａは、天井大梁２２からの延出長さＬが野縁３３の幅Ｗの半分以下に設定されている。但し、延出部３３ａの延出長さＬを野縁３３の幅Ｗの半分より大きくしてもよい。また、野縁３３において延出部３３ａ以外の部分、すなわち天井大梁２２の真下に配置された部分は梁下部３３ｂとなっている。この梁下部３３ｂが天井大梁２２の下面にビスにより固定されている。
【００５０】
隣り合う建物ユニット２０の各上側天井面材２７の間には、それら両天井面材２７を繋ぐように上側天井繋ぎ面材３７が設けられている。また、隣り合う建物ユニット２０の各下側天井面材２８の間には、それら両天井面材２８を繋ぐように下側天井繋ぎ面材３８が設けられている。この場合、下側天井繋ぎ面材３８の下面は下側天井面材２８の下面と面一とされている。なお、上側天井繋ぎ面材３７が第１天井面材及び第１天井繋ぎ面材に相当し、下側天井繋ぎ面材３８が第２天井面材及び第２天井繋ぎ面材に相当する。また、図６（ａ）及び（ｂ）では、便宜上、上側天井繋ぎ面材３７及び下側天井繋ぎ面材３８にそれぞれハッチングを付している。
【００５１】
各天井繋ぎ面材３７，３８は、天井面材２７，２８と同様、石膏ボードにより構成されており、上下に２枚重ねされた状態で設けられている。これら各天井繋ぎ面材３７，３８はいずれも同じ厚みを有する矩形板状（長方形板状）に形成されており、その厚みが各天井面材２７，２８と同じ厚みとなっている。
【００５２】
上側天井繋ぎ面材３７は、隣り合う各建物ユニット２０の野縁３３の下面に跨がって設けられており、詳しくは各野縁３３の梁下部３３ｂの下面に跨がって設けられている。この場合、各野縁３３の梁下部３３ｂの下面側にはそれぞれ、上側天井繋ぎ面材３７と上側天井面材２７とが隣り合って設けられている。それら隣り合う上側天井繋ぎ面材３７と上側天井面材２７とはそれぞれ梁下部３３ｂに対してビス４１（第１固定具に相当）により固定されている。なお、ビス４１は、上側天井繋ぎ面材３７（又は上側天井面材２７）を貫通した状態で梁下部３３ｂに打ち付けられている。
【００５３】
下側天井繋ぎ面材３８は、その幅、すなわち隣り合う建物ユニット２０の各野縁３３の並ぶ方向（換言すると建物ユニット２０の長手方向）の長さが、上側天井繋ぎ面材３７よりも大きくなっている。下側天井繋ぎ面材３８は、隣り合う建物ユニット２０の各野縁３３の下面側（真下位置）に跨がって設けられており、詳しくは各野縁３３の延出部３３ａの下面側に跨がって設けられている。したがって、下側天井繋ぎ面材３８は、各野縁３３の並ぶ方向における両側がそれぞれ上側天井繋ぎ面材３７から側方にはみ出した状態で設けられている。この場合、各野縁３３の延出部３３ａの下面側にはそれぞれ、下側天井繋ぎ面材３８と下側天井面材２８とが隣り合って設けられている。それら隣り合う下側天井繋ぎ面材３８と下側天井面材２８とはそれぞれ延出部３３ａに対して上側天井面材２７を介してビス４２（第２固定具に相当）により固定されている。なお、ビス４２は、下側天井繋ぎ面材３８（又は下側天井面材２８）及び上側天井面材２７をそれぞれ貫通した状態で延出部３３ａに打ち付けられている。
【００５４】
このように、妻面同士を向き合わせて隣り合う建物ユニット２０の境界部では、隣接する（短辺側の）天井大梁２２の下面にそれぞれ幅広の野縁３３が固定され、それら野縁３３の下方では各野縁３３の並ぶ方向に沿って上側天井繋ぎ面材３７と隣り合う建物ユニット２０の各上側天井面材２７とが並べて設けられているとともに、下側天井繋ぎ面材３８と隣り合う建物ユニット２０の各下側天井面材２８とが並べて設けられている。この場合、上側天井繋ぎ面材３７と隣り合う建物ユニット２０の各上側天井面材２７とが並ぶ方向、及び、下側天井繋ぎ面材３８と隣り合う建物ユニット２０の各下側天井面材２８とが並ぶ方向が「天井並び方向」に相当する。そして、隣り合う上側天井繋ぎ面材３７及び上側天井面材２７と、隣り合う下側天井繋ぎ面材３８及び下側天井面材２８とがそれぞれ各々の境界部を上記天井並び方向にずらした状態で野縁３３に対し固定されている。なお、この場合、天井並び方向は建物ユニット２０の長手方向と同方向となる。
【００５５】
下側天井繋ぎ面材３８の下面には天井クロス３４が貼り付けられている。天井クロス３４は、下側天井繋ぎ面材３８の下面と下側天井面材２８の下面とに跨がって設けられており、それら各下面に接着剤により貼り付けられている。以上が、妻面同士を向き合わせて隣り合う建物ユニット２０の境界部（以下、妻面側のユニット境界部ともいう）における天井部の構成の説明である。
【００５６】
桁面同士を向き合わせて隣り合う建物ユニット２０の境界部（以下、桁面側のユニット境界部ともいう）における天井部の構成も、妻面同士を向き合わせて隣り合う建物ユニット２０の境界部における天井部の構成と基本的に同じである。すなわち、桁面同士を向き合わせて隣り合う建物ユニット２０の境界部では、隣接する（長辺側の）天井大梁２２の下面にそれぞれ幅広の野縁３３が固定されている。それら野縁３３の下方では、それら野縁３３の並ぶ方向に沿って上側天井繋ぎ面材３７と隣り合う建物ユニット２０の各上側天井面材２７とが並べて設けられているとともに、下側天井繋ぎ面材３８と隣り合う建物ユニット２０の各下側天井面材２８とが並べて設けられている。この場合、上側天井繋ぎ面材３７と隣り合う建物ユニット２０の各上側天井面材２７とが並ぶ方向、及び、下側天井繋ぎ面材３８と隣り合う建物ユニット２０の各下側天井面材２８とが並ぶ方向が「天井並び方向」に相当する。そして、隣り合う上側天井繋ぎ面材３７及び上側天井面材２７と、隣り合う下側天井繋ぎ面材３８及び下側天井面材２８とがそれぞれ各々の境界部を上記天井並び方向にずらした状態で野縁３３の下面側に固定されている。なお、桁面側のユニット境界部では、天井並び方向が建物ユニット２０の短手方向と同方向となる。
【００５７】
ちなみに、桁面側のユニット境界部では、上側天井繋ぎ面材３７と下側天井繋ぎ面材３８とがそれぞれ建物ユニット２０の長手方向に沿って複数（具体的には３つ）に分割されている（図６（ａ）及び（ｂ）参照）。この場合、隣り合う上側天井繋ぎ面材３７の境界部と隣り合う下側天井繋ぎ面材３８の境界部とは分割方向にずらした位置に設定されている。但し、上側天井繋ぎ面材３７と下側天井繋ぎ面材３８とは必ずしも分割して構成する必要はなく一体物で構成してもよい。
【００５８】
なお、上側天井繋ぎ面材３７と下側天井繋ぎ面材３８とは、施工現場において各建物ユニット２０がそれぞれ設置された後、隣り合う建物ユニット２０の天井面材２７，２８同士の間に組み付けられるものとなっている。そして、これら天井繋ぎ面材３７，３８の組み付けが終わった後、下側天井面材２８の下面と下側天井繋ぎ面材３８の下面とに跨がって天井クロス３４が貼り付けられる。
【００５９】
以上、詳述した本実施形態の構成によれば、以下の優れた効果が得られる。
【００６０】
隣り合う建物ユニット２０の境界部（ユニット境界部）では、それら隣り合う建物ユニット２０の隣接する天井大梁２２の下面にそれぞれ野縁３３が天井大梁２２に沿って固定され、それら野縁３３の下方では各野縁３３の並ぶ方向を天井並び方向として複数の第１天井面材（上側天井面材２７及び上側天井繋ぎ面材３７）が並設されているとともに、複数の第２天井面材（下側天井面材２８及び下側天井繋ぎ面材３８）が並設されている。そして、上記の実施形態では、かかる構成にあって、野縁３３を天井大梁２２よりも幅広に形成し、その野縁３３の下面側に隣り合う上側天井面材２７及び上側天井繋ぎ面材３７をそれぞれ固定するとともに、隣り合う下側天井面材２８及び下側天井繋ぎ面材３８を互いの境界部を隣り合う上側天井面材２７及び上側天井繋ぎ面材３７の境界部に対し天井並び方向にずらした状態で固定した。この場合、隣り合う下側天井面材２８及び下側天井繋ぎ面材３８が一の上側天井面材２７の下面にそれぞれ配置されるため、それら両下側天井面材２８，３８の間で上下方向へのずれを生じにくくすることができる。そのため、両下側天井面材２８，３８の境界部で天井クロス３４に切れやしわが発生するのを抑制することができる。
【００６１】
また、隣り合う上側天井面材２７及び上側天井繋ぎ面材３７と、隣り合う下側天井面材２８及び下側天井繋ぎ面材３８とはそれぞれ共通の野縁３３（幅広野縁）に固定されているため、隣り合う上側天井面材２７，３７と隣り合う下側天井面材２８，３８とをそれぞれ別々の野縁に固定する場合と異なり、別途新たに野縁を設ける必要がない。これにより、部品点数の増大を伴うことなく、天井クロス３４にしわや切れが発生するのを抑制することができる。
【００６２】
また、隣り合う建物ユニット２０の境界部では、隣接する各天井大梁２２の下面にそれぞれ固定された野縁３３の下面側に跨がって上側天井繋ぎ面材３７と下側天井繋ぎ面材３８とがそれぞれ設けられる。かかる構成では、当該野縁３３に対して隣り合う上側天井面材２７及び上側天井繋ぎ面材３７と、隣り合う下側天井面材２８及び下側天井繋ぎ面材３８とがそれぞれ固定されるため、隣り合う上側天井面材２７及び上側天井繋ぎ面材３７の境界部と、隣り合う下側天井面材２８及び下側天井繋ぎ面材３８の境界部とを天井並び方向にずらして配置することが困難になると考えられる。その場合、ユニット境界部において天井クロス３４にしわや切れが発生するおそれがある。この点、上記の実施形態では、ユニット境界部において、上述の天井構造を適用したため、部品点数の増大を伴うことなく、ユニット境界部にて天井クロス３４にしわや切れが発生するのを抑制することができる。
【００６３】
また、ユニット境界部のうち、特に桁面側のユニット境界部に上述の天井構造を適用した。桁面側のユニット境界部では、天井大梁２２下の野縁３３に対してユニット内側に横並びとなる位置に別途新たな野縁を設ける場合、その新たな野縁を隣り合う天井小梁２５下の野縁３１間ごとにそれぞれ設ける必要がある。そのため、部品点数の著しい増大を招くおそれがある。その点、上述の天井構造によれば、部品点数の増大を伴うことなく天井クロス３４のしわや切れの発生を抑制することができるため、上述の天井構造を桁面側のユニット境界部に適用したことの意義は大きいといえる。
【００６４】
さらに、上述の天井構造を、妻面側のユニット境界部にも適用した。すなわち、上述の天井構造を、桁面側のユニット境界部及び妻面側のユニット境界部の双方に適用した。これにより、一階部分１４の天井部全域に亘って天井クロス３４にしわや切れが発生するのを抑制することができる。
【００６５】
また、天井大梁２２下の野縁３３に対してユニット内側に横並びとなる位置に別途新たな野縁を設ける構成では、新たな野縁に固定される天井繋ぎ面材が建物ユニット２０の内側に（比較的大きく）張り出して設けられることになるため、桁面側のユニット境界部と妻面側のユニット境界部との交差部（角部）周辺で、桁面側のユニット境界部の天井繋ぎ面材と妻面側のユニット境界部の天井繋ぎ面材とが互いに干渉してしまうことが想定される。その場合、天井繋ぎ面材を上手く割り付けることが困難になるおそれがある。その点、上述の天井構造では、各天井繋ぎ面材３７，３８がそれぞれ天井大梁２２下の野縁３３に固定されるため、天井繋ぎ面材３７，３８がユニット内側に大きく張り出すことがない。そのため、桁面側のユニット境界部の天井繋ぎ面材３７，３８と妻面側のユニット境界部の天井繋ぎ面材３７，３８との干渉が生じにくく、天井繋ぎ面材３７，３８（及び天井面材２７，２８）の割り付けを容易に行うことができる。
【００６６】
野縁３３を、その上方の天井大梁２２に対してユニット内側には延出させる一方、ユニット外側には延出させない状態で固定した。これにより、野縁３３の一部が天井大梁２２から延出した状態で設けられる構成にあって、その延出部分が建物ユニット２０の搬送の邪魔になるのを回避することができる。
【００６７】
下側天井繋ぎ面材３８について、その幅（天井並び方向の長さ）を上側天井繋ぎ面材３７よりも大きくし、その下側天井繋ぎ面材３８の幅方向（天井並び方向）の両側をそれぞれ上側天井繋ぎ面材３７からはみ出した状態で隣り合う建物ユニット２０の各野縁３３にそれぞれ固定した。この場合、上側天井繋ぎ面材３７（の全体）が下側天井面材２８の上面側に配置されていないため、施工時において隣り合う建物ユニット２０の各上側天井面材２７の間に上側天井繋ぎ面材３７を組み付ける際、下側天井面材２８を一旦取り外すといった手間が発生することがない。そのため、施工工数の増大を回避しながら、部品点数の増大を伴うことなく天井クロス３４にしわや切れが発生するのを抑制するという上述の効果を得ることができる。
【００６８】
野縁３３について、その幅方向の一端部を天井大梁２２の幅方向の一端部と同じ位置に位置合わせした状態で当該大梁２２に固定した。この場合、野縁３３を天井大梁２２に固定する際、上記のように位置合わせしながら固定できるため、天井大梁２２よりも幅広の野縁３３を当該大梁２２に固定するにあたり、その固定作業をし易くすることができる。
【００６９】
野縁３３において、梁下部３３ｂの下面側に隣り合う上側天井面材２７と上側天井繋ぎ面材３７とをそれぞれ固定し、延出部３３ａの下面側に隣り合う下側天井面材２８と下側天井繋ぎ面材３８とをそれぞれ固定した。この場合、隣り合う上側天井面材２７及び上側天井繋ぎ面材３７については撓みの生じにくい梁下部３３ｂに固定されているため、これら各天井面材２７，３７を安定した状態で野縁３３に支持することが可能となる。また、その安定支持されたそれら両天井面材２７，３７（詳しくは上側天井面材２７）により延出部３３ａの下方への撓みを規制することができるため、その延出部３３ａに固定される下側天井面材２８及び下側天井繋ぎ面材３８についても安定した状態で支持することが可能となる。
【００７０】
延出部３３ａの延出長さＬを野縁３３の幅Ｗの半分以下に設定したため、延出部３３ａに固定される下側天井面材２８及び下側天井繋ぎ面材３８の重みにより当該延出部３３ａが下方へ撓んでしまうのを抑制することができる。これにより、天井面材２７，２８，３７，３８を安定した状態で支持することが可能となる。
【００７１】
本発明は上記実施形態に限らず、例えば次のように実施されてもよい。
【００７２】
（１）上記実施形態では、野縁３３を天井大梁２２に対してユニット内側にのみ延出させた状態で当該大梁２２に固定したが、野縁３３を天井大梁２２に対してユニット内側及びユニット外側の両方に延出させた状態で固定してもよい。つまり、野縁３３の幅方向の両側にそれぞれ延出部を設けてもよい。この場合、野縁３３の幅を同じ幅として比較した場合、延出部の延出長さＬを上記実施形態の野縁３３よりも小さくすることができるため、天井面材の重みにより延出部が下方へ撓むのをより一層抑制することができる。
【００７３】
また、野縁３３を天井大梁２２に対してユニット外側にのみ延出させた状態で固定してもよい。但し、野縁３３の延出部が建物ユニット２０の搬送の邪魔になるのを回避する上では、上記実施形態のように、野縁３３を天井大梁２２に対してユニット内側にのみ延出させることが好ましい。
【００７４】
（２）上記実施形態では、下側天井繋ぎ面材３８の幅（天井並び方向の長さ）を上側天井繋ぎ面材３７の幅よりも大きくしたが、これを変更して、下側天井繋ぎ面材３８の幅を上側天井繋ぎ面材３７の幅と同じにしてもよいし、又は、下側天井繋ぎ面材３８の幅を上側天井繋ぎ面材３７の幅よりも小さくしてもよい。これらの場合であっても、隣り合う上側天井面材２７及び上側天井繋ぎ面材３７と、隣り合う下側天井面材２８及び下側天井繋ぎ面材３８とを、互いの境界部を天井並び方向にずらした状態で野縁３３に固定すれば、部品点数の増大を伴うことなく、天井クロス３４にしわや切れが発生するのを抑制することができる。
【００７５】
（３）野縁３３の梁下部３３ｂと延出部３３ａとをそれぞれ別体で形成し、それら別体で形成した梁下部３３ｂ及び延出部３３ａを接着等で一体化させることにより野縁３３を形成してもよい。
【００７６】
（４）上記実施形態では、隣り合う建物ユニット２０の隣接する各天井大梁２２の下面に設けられた野縁３３をそれぞれ幅広野縁としたが、天井小梁２５の下面に設けられた各野縁３１のうちいずれかの野縁３１を天井小梁２５よりも幅広に形成して幅広野縁としてもよい。その場合、その野縁３１の下面側に、隣り合う上側天井面材２７と隣り合う下側天井面材２８とをそれぞれ互いの境界部を天井面材２７，２８の並び方向（天井並び方向に相当）にずらした状態で固定することが可能となる。これにより、各天井小梁２５ごとに野縁３１を設ける必要がなくなるため、部品点数の削減を図りながら、天井クロス３４にしわや切れが発生するのを抑制することができる。
【００７７】
（５）上記実施形態では、ユニット式建物への適用例を説明したが、鉄骨軸組工法により構築される建物や、在来木造工法により構築される建物等、他の構造の建物に本発明を適用してもよい。
【符号の説明】
【００７８】
１０…建物、２０…建物ユニット、２２…天井梁としての天井大梁、２５…天井小梁、２７…第１天井面材及び第１ユニット天井面材としての上側天井面材、２８…第２天井面材及び第２ユニット天井面材としての下側天井面材、３３…幅広野縁としての野縁、３３ａ…延出部、３３ｂ…梁下部、３４…天井クロス、３７…第１天井面材及び第１天井繋ぎ面材としての上側天井繋ぎ面材、３８…第２天井面材及び第２天井繋ぎ面材としての下側天井繋ぎ面材。
【図１】
2015117502.tif 000003
【図２】
2015117502.tif 000004
【図３】
2015117502.tif 000005
【図４】
2015117502.tif 000006
【図５】
2015117502.tif 000007
【図６】
2015117502.tif 000008
【図７】
2015117502.tif 000009
【図８】
2015117502.tif 000010